(57)【要約】【課題】位置に応じて所定の情報を表示する表示体を容易に交換することができる表示装置を提供すること。【解決手段】駆動力を発生させる駆動手段（超音波モーター）３１と、前記駆動力により駆動して、第１の情報を指し示す第１の情報指示手段（時表示手段）４とを備え、第１の情報指示手段４は、前記駆動力により回動する第１の磁気伝達部材（駆動体）４３と、第１の磁気伝達部材４３と磁気結合し、当該第１の磁気伝達部材４３と同軸で、当該第１の磁気伝達部材４３の回動に伴って回動する第２の磁気伝達部材（時表示体）４４とを備え、第２の磁気伝達部材４４は、第１の磁気伝達部材４３に対向する側とは反対側に、第２の磁気伝達部材４４の回動に伴う位置の変化により、前記第１の情報を示す第１表示部（装飾部）４４３１を有する。【選択図】図２
2010164392.tif 000002
【特許請求の範囲】
【請求項１】
駆動力を発生させる駆動手段と、
前記駆動力により駆動して、第１の情報を指し示す第１の情報表示手段とを備え、
前記第１の情報表示手段は、
前記駆動力により回動する第１の磁気伝達部材と、
前記第１の磁気伝達部材と磁気結合し、当該第１の磁気伝達部材と同軸で、当該第１の
磁気伝達部材の回動に伴って回動する第２の磁気伝達部材とを備え、
前記第２の磁気伝達部材は、前記第１の磁気伝達部材に対向する側とは反対側に、当該
第２の磁気伝達部材の回動に伴う位置の変化により、前記第１の情報を示す第１表示部を
有することを特徴とする表示装置。
【請求項２】
請求項１に記載の表示装置において、
前記第１の磁気伝達部材と前記第２の磁気伝達部材との間に介装され、当該第１の磁気
伝達部材を覆い、かつ、非磁性を有する被覆部材を備えることを特徴とする表示装置。
【請求項３】
請求項２に記載の表示装置において、
前記第１の磁気伝達部材及び前記第２の磁気伝達部材の少なくともいずれか一方は、回
動時に前記被覆部材に当接し、当該被覆部材上を摺動する低摩擦部を有することを特徴と
する表示装置。
【請求項４】
請求項２に記載の表示装置において、
前記第１の磁気伝達部材及び前記第２の磁気伝達部材の少なくともいずれか一方は、
前記被覆部材に当接するベアリングと、
前記ベアリングの直径方向に沿って当該ベアリングから延出し、他方の磁気伝達部材に
対向する面に磁性部材を有する延出部とを有することを特徴とする表示装置。
【請求項５】
請求項２から請求項４のいずれかに記載の表示装置において、
前記第１の磁気伝達部材と磁気結合可能な範囲で、前記第２の磁気伝達部材を回動自在
に保持する保持部材を備え、
前記保持部材は、前記被覆部材に着脱自在に設けられることを特徴とする表示装置。
【請求項６】
請求項２から請求項５のいずれかに記載の表示装置において、
前記駆動手段及び前記第１の磁気伝達部材を内部に収納するための開口部を有する筐体
を備え、
前記被覆部材は、前記開口部を閉塞し、
前記第２の磁気伝達部材は、前記筐体外に配置され、前記被覆部材を介して前記筐体内
に収納された前記第１の磁気伝達部材と磁気結合することを特徴とする表示装置。
【請求項７】
請求項１から請求項６のいずれかに記載の表示装置において、
前記第２の磁気伝達部材は、
前記第１の磁気伝達部材に対向する側に設けられ、当該第１の磁気伝達部材と磁気結合
する結合部と、
前記第１の磁気伝達部材に対向する側とは反対側に設けられ、前記第１表示部を有する
外面部とを有し、
前記結合部と前記外面部とは、互いに着脱自在に一体化されていることを特徴とする表
示装置。
【請求項８】
請求項１から請求項７のいずれかに記載の表示装置において、
前記駆動力により、前記第１の情報とは異なる第２の情報を指し示す第２の情報表示手
段を備え、
前記第２の情報表示手段は、
前記第１の磁気伝達部材の外側に配置され、かつ、前記第１の磁気伝達部材と同じ位置
に回動軸を有する第１の歯車と、
前記駆動力を前記第１の歯車に伝達する少なくとも１つの第２の歯車とを備え、
前記第１の歯車は、前記第２の磁気伝達部材が位置する側に、当該第１の歯車の回動に
伴う位置の変化により、前記第２の情報を示す第２表示部を有することを特徴とする表示
装置。
【請求項９】
請求項８に記載の表示装置において、
前記駆動手段、前記第１の磁気伝達部材及び前記第２の情報表示手段を内部に収納する
ための開口部を有する筐体を備え、
前記被覆部材は、前記開口部を閉塞し、
前記第２の磁気伝達部材は、前記筐体外に配置され、前記被覆部材を介して前記筐体内
に収納された前記第１の磁気伝達部材と磁気結合し、
前記被覆部材は、前記第２表示部の軌跡における少なくとも一部の領域に、当該第２表
示部を視認可能な透過部を有することを特徴とする表示装置。
【請求項１０】
請求項８又は請求項９に記載の表示装置において、
前記第１の情報及び前記第２の情報のうちの一方は、時刻のうちの時であり、他方は、
分であることを特徴とする表示装置。
【請求項１１】
請求項１から請求項１０のいずれかに記載の表示装置において、
前記第２の磁気伝達部材は、前記第１の磁気伝達部材と一箇所で磁気結合することを特
徴とする表示装置。
【請求項１２】
請求項１から請求項１１のいずれかに記載の表示装置において、
前記駆動手段は、超音波モーターを備えることを特徴とする表示装置。
【発明の詳細な説明】
【技術分野】
【０００１】
本発明は、表示装置に関する。
【背景技術】
【０００２】
従来、「時」を指し示す時針と、「分」を指し示す分針とを有する指針を備えたアナロ
グ式時計が知られている。このような時計は、置時計や掛け時計として利用されるほか、
腕時計としても利用される（例えば、特許文献１参照）。
また、指針に代えて、盤面に沿って回転する回転体を設け、盤面及び回転体に付した記
号等により、時刻を指し示す時計が知られている（例えば、特許文献２参照）。
【０００３】
【特許文献１】特開２００７−８２５９９号公報
【特許文献２】特開２００２−６２３７１号公報
【発明の開示】
【発明が解決しようとする課題】
【０００４】
しかしながら、前述の時計では、指針及び回転体が歯車等を介して機械体と係合してい
るので、当該指針及び回転体の交換が煩雑となりやすいという問題がある。
【０００５】
本発明の目的は、位置に応じて所定の情報を表示する表示体を容易に交換することがで
きる表示装置を提供することである。
【課題を解決するための手段】
【０００６】
本発明の表示装置は、駆動力を発生させる駆動手段と、前記駆動力により駆動して、第
１の情報を指し示す第１の情報表示手段とを備え、前記第１の情報表示手段は、前記駆動
力により回動する第１の磁気伝達部材と、前記第１の磁気伝達部材と磁気結合し、当該第
１の磁気伝達部材と同軸で、当該第１の磁気伝達部材の回動に伴って回動する第２の磁気
伝達部材とを備え、前記第２の磁気伝達部材は、前記第１の磁気伝達部材に対向する側と
は反対側に、当該第２の磁気伝達部材の回動に伴う位置の変化により、前記第１の情報を
示す第１表示部を有することを特徴とする。
【０００７】
ここで、駆動手段としては、モーターのほか、圧電振動体を例示することができる。
本発明によれば、第２の磁気伝達部材と、第１の磁気伝達部材とが磁気結合により結合
しているので、これらの結合を容易に解除することができ、第２の磁気伝達部材を表示装
置から容易に取り外すことができる。また、当該第２の磁気伝達部材の取付においても、
第１の磁気伝達部材を覆うように第２の磁気伝達部材を設けることにより、これらの間で
磁気結合が生じるので、当該第１の磁気伝達部材と第２の磁気伝達部材とを容易に係合さ
せることができる。従って、第１の情報を指し示す表示体である第２の磁気伝達部材を容
易に交換することができる。
【０００８】
本発明では、前記第１の磁気伝達部材と前記第２の磁気伝達部材との間に介装され、当
該第１の磁気伝達部材を覆い、かつ、非磁性を有する被覆部材を備えることが好ましい。
本発明によれば、第１の磁気伝達部材と、第２の磁気伝達部材とが、非磁性を有する被
覆部材により分断されることにより、当該第２の磁気伝達部材を、一層容易に取り外すこ
とができる。また、被覆部材により第１の磁気伝達部材が覆われることにより、第２の磁
気伝達部材側から第１の磁気伝達部材側に、塵埃や水等が侵入しにくくすることができる
。従って、第２の磁気伝達部材の交換を一層容易に行うことができるほか、表示装置の保
守性を向上することができる。
【０００９】
本発明では、前記第１の磁気伝達部材及び前記第２の磁気伝達部材の少なくともいずれ
か一方は、回動時に前記被覆部材に当接し、当該被覆部材上を摺動する低摩擦部を有する
ことが好ましい。
このような低摩擦部は、例えば、低摩擦の材料により構成することができるほか、被覆
部材に対向する面に表面処理を施すことにより構成することができる。また、低摩擦部は
、被覆部材に対向する面に低摩擦のシール等を貼付することで構成することができるほか
、ローラー等の低摩擦部材を設けることによっても構成することができる。
本発明によれば、少なくともいずれか一方の磁気伝達部材は、被覆部材に当接すること
となるので、当該磁気伝達部材と被覆部材との隙間がなくなり、表示装置の厚さ寸法を小
さくすることができる。また、当該磁気伝達部材は、被覆部材に当接する低摩擦部を有し
ているので、当該被覆部材と当接することによる回動時の負荷を小さくすることができる
。従って、表示装置の薄型化を図ることができるほか、磁気伝達部材の回動を円滑に行う
ことができる。
【００１０】
或いは、本発明では、前記第１の磁気伝達部材及び前記第２の磁気伝達部材の少なくと
もいずれか一方は、前記被覆部材に当接するベアリングと、前記ベアリングの直径方向に
沿って当該ベアリングから延出し、他方の磁気伝達部材に対向する面に磁性部材を有する
延出部とを有することが好ましい。
本発明によれば、少なくともいずれか一方の磁気伝達部材は、被覆部材に当接するベア
リングを備えているので、延出部が有する磁性部材と被覆部材との隙間を小さく設定する
ことができる。また、ベアリングにより、第１の磁気伝達部材と磁気結合する磁性部材を
有する延出部の回動を円滑に行うことができる。更に、当該磁性部材が被覆部材に当接し
ないように設計することができるので、当該延出部の回動を一層円滑に行うことができる
。従って、表示装置の薄型化を図ることができるほか、磁気伝達部材の回動を円滑に行う
ことができる。
【００１１】
本発明では、前記第１の磁気伝達部材と磁気結合可能な範囲で、前記第２の磁気伝達部
材を回動自在に保持する保持部材を備え、前記保持部材は、前記被覆部材に着脱自在に設
けられることが好ましい。
ここで、第２の磁気伝達部材と第１の磁気伝達部材との磁気結合の強度は、磁性部材の
磁力に依存するため、当該磁力が小さい場合には、所定の衝撃により、当該磁気結合が解
除され、第２の磁気伝達部材が意図に反して取り外されてしまう可能性がある。
これに対し、本発明によれば、保持部材により、第１の磁気伝達部材と磁気結合可能な
範囲内に第２の磁気伝達部材が保持されるので、磁気結合が解除される程度の衝撃が加わ
った場合でも、これらの磁気結合状態を維持することができる。従って、表示装置の信頼
性を確保することができる。このほか、保持部材を被覆部材から取り外すことで、第１の
磁気伝達部材との磁気結合を解除して第２の磁気伝達部材を取り外すことができるので、
当該第２の磁気伝達部材の着脱容易性を損なわないようにすることができる。
【００１２】
本発明では、前記駆動手段及び前記第１の磁気伝達部材を内部に収納するための開口部
を有する筐体を備え、前記被覆部材は、前記開口部を閉塞し、前記第２の磁気伝達部材は
、前記筐体外に配置され、前記被覆部材を介して前記筐体内に収納された前記第１の磁気
伝達部材と磁気結合することが好ましい。
本発明によれば、駆動手段及び第１の磁気伝達部材は、開口部が被覆部材により閉塞さ
れる筐体内に収納されるので、当該筐体内に塵埃及び水等が侵入することを防ぐことがで
き、表示装置の動作信頼性を向上することができる。
また、第２の磁気伝達部材が、筐体及び被覆部材の外側に位置することにより、当該第
２の磁気伝達部材の着脱、ひいては、交換を一層容易に行うことができる。
【００１３】
本発明では、前記第２の磁気伝達部材は、前記第１の磁気伝達部材に対向する側に設け
られ、当該第１の磁気伝達部材と磁気結合する結合部と、前記第１の磁気伝達部材に対向
する側とは反対側に設けられ、前記第１表示部を有する外面部とを有し、前記結合部と前
記外面部とは、互いに着脱自在に一体化されていることが好ましい。
本発明によれば、第２の磁気伝達部材を構成する結合部と外面部とは、着脱自在に一体
化されているので、これらを分離することができる。これによれば、例えば、第１の磁気
伝達部材との磁気結合により、結合部に砂等の汚れが付着した場合でも、結合部と外面部
とを分離させることで、当該汚れを洗浄等により簡易に除去することができる。また、外
面部と結合部と分離させることで、当該外面部に容易に装飾を施すことができる。更に、
第２の磁気伝達部材において外面部のみを交換することも可能であり、表示装置の汎用性
を向上することができる。
【００１４】
本発明では、前記駆動力により、前記第１の情報とは異なる第２の情報を指し示す第２
の情報表示手段を備え、前記第２の情報表示手段は、前記第１の磁気伝達部材の外側に配
置され、かつ、前記第１の磁気伝達部材と同じ位置に回動軸を有する第１の歯車と、前記
駆動力を前記第１の歯車に伝達する少なくとも１つの第２の歯車とを備え、前記第１の歯
車は、前記第２の磁気伝達部材が位置する側に、当該第１の歯車の回動に伴う位置の変化
により、前記第２の情報を示す第２表示部を有することが好ましい。
【００１５】
本発明によれば、第１の情報表示手段により示される第１の情報に加えて、第２の情報
表示手段により第２の情報が示されるので、表示装置の汎用性を向上することができる。
また、第２の情報表示手段では、第１の情報表示手段の駆動源となる駆動手段の駆動力
により第１の歯車が回動し、これにより、第２表示部により第２の情報が示されるので、
当該第２の情報表示手段用に駆動手段を別途設ける必要がない。これによれば、第１の情
報及び第２の情報をそれぞれ表示する表示装置の部品点数の増加を抑えることができる。
更に、第２の情報表示手段を構成する第１の歯車は、第１の磁気伝達部材の外側に配置
されるので、第１の情報表示手段及び第２の情報表示手段が並列配置される場合に比べ、
表示装置が大型化することを抑えることができる。
【００１６】
本発明では、前記駆動手段、前記第１の磁気伝達部材及び前記第２の情報表示手段を内
部に収納するための開口部を有する筐体を備え、前記被覆部材は、前記開口部を閉塞し、
前記第２の磁気伝達部材は、前記筐体外に配置され、前記被覆部材を介して前記筐体内に
収納された前記第１の磁気伝達部材と磁気結合し、前記被覆部材は、前記第２表示部の軌
跡における少なくとも一部の領域に、当該第２表示部を視認可能な透過部を有することが
好ましい。
本発明によれば、第２の情報表示手段は、駆動手段及び第１の磁気伝達部材とともに、
被覆部材により開口部が閉塞される筐体内に収納されるので、塵埃等が内部に侵入するこ
とを防ぎ、表示装置の保守性を高めることができる。また、被覆部材は、第１の歯車の回
動に応じて位置が変化する第２表示部を視認可能な透過部を有するので、当該第２の情報
表示手段によって指し示される第２の情報を確実に視認することができる。
【００１７】
本発明では、前記第１の情報及び前記第２の情報のうちの一方は、時刻のうちの時であ
り、他方は、分であることが好ましい。
本発明によれば、第１の情報表示手段により時が指し示され、また、第２の情報表示手
段により分が指し示される。これによれば、第２の磁気伝達部材を交換することで、汎用
性の高い時計を構成することができる。
【００１８】
本発明では、前記第２の磁気伝達部材は、前記第１の磁気伝達部材と一箇所で磁気結合
することが好ましい。
ここで、第２の磁気伝達部材が、複数の結合位置で、第１の磁気伝達部材と磁気結合す
る場合には、取り外した第２の磁気伝達部材を装着する際に、当該第２の磁気伝達部材が
正しい向きに装着されない可能性があるほか、当該第２の磁気伝達部材の平面位置がずれ
る可能性がある。
これに対し、本発明では、第２の磁気伝達部材は、第１の磁気伝達部材と一箇所で磁気
結合するので、当該第２の磁気伝達部材を正しい向きに装着することができるほか、当該
第２の磁気伝達部材と第１の磁気伝達部材との平面位置にずれが生じることを防ぐことが
できる。従って、第２の磁気伝達部材を適切に取り付けることができる。
【００１９】
本発明では、前記駆動手段は、超音波モーターを備えることが好ましい。
本発明によれば、駆動手段が超音波モーターを備えているので、磁界を生じさせるモー
ターを採用した場合に比べて、第１の磁気伝達手段及び第２の磁気伝達手段の磁気結合に
対する影響を低減することができる。また、これにより、当該各磁気伝達部材による第１
の情報の表示を確実かつ適切に行うことができる。従って、表示装置の動作信頼性を一層
向上することができる。
【発明の効果】
【００２０】
本発明によれば、第１の磁気伝達部材と、当該第１の磁気伝達部材とともに回動して、
第１表示部の位置の変化により第１の情報を指し示す第２の磁気伝達部材とは、磁気結合
により結合しているので、第１の磁気伝達部材に対して、第２の磁気伝達部材を容易に着
脱することができる。従って、第２の磁気伝達部材を容易に交換することができる。
【発明を実施するための最良の形態】
【００２１】
〔１．第１実施形態〕
以下、本発明の第１実施形態を、図面に基づいて説明する。
〔時計の全体構成〕
図１は、本実施形態に係る時計１を示す平面図である。
時計１は、本発明の表示装置に相当し、時刻を表示するアナログクォーツ時計として構
成された腕時計（ウォッチ）である。この時計１は、図１に示すように、筐体２と、当該
筐体２に形成された開口部２２１を閉塞する被覆部材としての透光性のカバー６とを備え
、当該カバー６の略中央には、後述する時表示手段４の時表示体４４が回動自在に設けら
れている。
【００２２】
この時計１では、詳しくは後述するが、筐体２内に収納されるムーブメント３を構成す
る駆動体４３（図２参照）と、カバー６を挟んで当該駆動体４３と対向配置される時表示
体４４とは、当該カバー６を介して磁気結合している。そして、駆動体４３の回転に伴っ
て時表示体４４が回転し、これにより、時針の役割を担う時表示体４４の装飾部４４３１
の位置により「時」が指し示される。また、後述する分表示手段５の分表示車５３には、
分針の役割を担う装飾部５３１が設けられており、当該装飾部５３１の位置によりカバー
６を介して「分」が指し示される。
【００２３】
〔筐体の構成〕
以下、時計１の構成について詳述する。
図２は、時計１の内部構成を示す縦断面図である。なお、ムーブメント３の一部の構成
については、図示を省略する。
筐体２は、金属製の筐体であり、図２に示すように、断面略Ｕ字状を有する下ケース２
１と、当該下ケース２１の上側（時計１の観察側）に取り付けられる上ケース２２と、下
ケース２１内に収納されたムーブメント３の揺動を規制する中枠２３とを備えている。こ
のうち、下ケース２１と上ケース２２とは、図示しないねじにより組み合わされる。
【００２４】
下ケース２１は、上方に向かって開口し、ムーブメント３を内部に収納するための開口
部２１１を有し、当該開口部２１１の開口端に、中枠２３が取り付けられる。
上ケース２２は、環状体であり、当該上ケース２２を上下に貫通する開口部２２１が中
央に形成されている。この開口部２２１は、上ケース２２と下ケース２１とが組み合わさ
った際に、開口部２１１と連通するが、カバー６により閉塞される。これにより、筐体２
内におけるムーブメント３が収納される空間は、密閉状態となる。また、上ケース２２の
側方には、当該上ケース２２を貫通する開口部２２２が形成されており、当該開口部２２
２には、筐体２内のムーブメント３と係合する巻真２４が挿通される。
【００２５】
〔ムーブメントの構成〕
ムーブメント３は、駆動手段としての超音波モーター３１と、当該モーター３１のスピ
ンドル（図示省略）に係合する分車３２と、当該分車３２を被嵌する筒かな３３と、地板
３４及び複数の裏板３５と、時表示手段４と、分表示手段５とを備えている。このうち、
分車３２及び筒かな３３は、筐体２の中央に配置されている。
【００２６】
〔時表示手段の構成〕
時表示手段４は、本発明の第１の情報表示手段に相当し、第１の情報として、時刻のう
ちの「時」を指し示す。この時表示手段４は、日の裏車４１、歯車４２及び駆動体４３の
ほか、カバー６を介して駆動体４３に対向配置される時表示体４４を備えている。
日の裏車４１は、分車３２及び筒かな３３に隣接配置され、地板３４及び裏板３５によ
り回動自在に挟持されている。この日の裏車４１は、筒かな３３及び歯車４２と噛合し、
当該分車３２及び筒かな３３の回転力を、歯車４２が設けられた駆動体４３に伝達する。
歯車４２は、日の裏車４１と噛合する外歯を有し、駆動体４３の後述するベアリング４
３１の外輪４３１２に、当該外輪４３１２の外周に沿って固定されている。この歯車４２
は、日の裏車４１の上方に配置される。このような歯車４２は、日の裏車４２を介して、
分車３２及び筒かな３３から伝達される駆動力により、駆動体４３を回転させる。
【００２７】
〔駆動体の構成〕
駆動体４３は、本発明の第１の磁気伝達部材に相当し、カバー６を介して時表示体４４
と磁気結合し、当該時表示体４４を回転させる部材であり、全体略円盤状を有している。
この駆動体４３は、中央に位置するベアリング４３１と、当該ベアリング４３１の外輪４
３１２に、ベアリング４３１の直径方向に延出するように固定された延出部４３２とを有
している。
【００２８】
ベアリング４３１の内輪４３１１は、カバー６の後述する取付部６２に固定される。こ
の内輪４３１１の中央には、平面視略円形状の孔部４３１３が形成され、当該孔部４３１
３には、略円筒状の間隔保持部材３６が挿入される。この間隔保持部材３６により、筒か
な３３と内輪４３１１との間には隙間が形成され、これらが互いに接触しないように構成
されている。
ベアリング４３１の外輪４３１２には、日の裏車４１と噛合する前述の歯車４２が固定
されている。これにより、日の裏車４１の回転に伴って、当該外輪４３１２が回転し、ひ
いては、延出部４３２が回転する。
【００２９】
延出部４３２は、略平板状に形成されている。この延出部４３２におけるカバー６に対
向する面と、当該カバー６との間には、所定の隙間が形成されている。このカバー６に対
向する面には、永久磁石で構成された磁性部材４３３が１箇所に設けられ、また、当該磁
性部材４３３が設けられていない領域には、磁石案内板４３４が設けられている。この磁
性部材４３３は、カバー６に近接するように、磁石案内板４３４より突出している。そし
て、磁性部材４３３が、時表示体４４の磁性部材４４２１と磁気結合することにより、駆
動体４３及び時表示体４４とは、それぞれの回転方向において１箇所で磁気結合する。
【００３０】
ここで、カバー６の構成について、先に説明する。
カバー６は、前述のように、上ケース２２に形成された開口部２２１を閉塞し、もって
、ムーブメント３を被覆する非磁性部材である。このカバー６は、中央に略円形状の開口
部６１１が形成された環状を有するガラス製の透過部６１と、当該開口部６１１にゴム等
の弾性部材６３を介して嵌め込まれる取付部６２とを備えている。
このうち、透過部６１の形成範囲は、後述する分表示車５３を少なくとも覆うように設
定されており、当該透過部６１を介して、分表示車５３の装飾部５３１を視認することが
できる。
【００３１】
また、取付部６２の駆動体４３に対向する面には、前述のベアリング４３１の内輪４３
１１が当接される。また、当該取付部６２における駆動体４３側とは反対側、すなわち、
時表示体４４に対向する面には、内側にねじ孔６２１を有するボス６２２が形成されてい
る。このねじ孔６２１及びボス６２２は、後述する時表示体４４を、当該カバー６に回動
自在に取り付けるためのねじ４４６が固定される固定部である。
【００３２】
〔時表示体の構成〕
時表示体４４は、カバー６を挟んで駆動体４３の反対側に、当該駆動体４３と回転軸が
同じ位置となるように配置される。すなわち、時表示体４４は、カバー６及び筐体２の外
側に、磁気結合する駆動体４３と同軸で回転自在に設けられる。この時表示体４４は、ベ
アリング４４１、結合部４４２、外面部４４３、ねじ４４４及び飾りブッシュ４４５を備
え、保持部材としてのねじ４４６により取付部６２に軸支される。
【００３３】
ベアリング４４１は、時表示体４４の中央に設けられ、内輪４４１１及び外輪４４１３
を備えている。この内輪４４１１における中央には平面視略円形状の開口部４４１２が形
成され、当該開口部４４１２には、前述のボス６２２が挿入される。そして、ねじ孔６２
１に螺合したねじ４４６の頭部が、内輪４４１１を取付部６２側に押さえることで、時表
示体４４は、駆動体４３と磁気結合可能な範囲でカバー６に保持される。なお、ねじ４４
６を取り外すことで、時表示体４４をカバー６から簡易に取り外すことも可能である。
【００３４】
このように、ねじ４４６により時表示体４４をカバー６に保持させることで、当該時表
示体４４が不意にカバー６から外れることを防ぐことができ、当該時表示体４４の紛失を
防止することができる。また、時表示体４４は、当該時表示体４４の中央でカバー６に保
持されることとなるので、時表示体４４をカバー６に押さえる部材を、当該時表示体４４
の外側に設ける必要がない。これによれば、後述する外面部４４３を見易くすることがで
きる。
【００３５】
外輪４４１３の外側には、ベアリング４４１の直径方向に延出する結合部４４２が一体
的に設けられている。この結合部４４２は、本発明の延出部及び延出部に相当する。
結合部４４２におけるカバー６及び駆動体４３に対向する面には、前述の磁性部材４３
３に対向する位置に、１つの磁性部材４４２１が設けられ、また、当該磁性部材４４２１
が設けられていない領域には、磁石案内板４４２２が設けられている。
【００３６】
この磁性部材４４２１と、磁性部材４３３との互いに対向する面の磁極は、互いに引き
合う磁極に設定されている。すなわち、一方の磁性部材の磁極がＮ極である場合には、他
方の磁性部材の磁極はＳ極に設定される。これにより、駆動体４３と時表示体４４とは、
これらの回転方向において１箇所で磁気結合する。
なお、駆動体４３及び時表示体４４の位置合わせの精度を高めるためには、これら駆動
体４３及び時表示体４４の磁気結合の強度を確保した上で、これら磁性部材４３３，４４
２１を可能な限り小さく形成することが好ましい。
【００３７】
外面部４４３は、ベアリング４４１及び結合部４４２におけるカバー６側とは反対側を
覆うように形成されており、中央から外側に向かうに従って厚さ寸法が小さくなる湾曲形
状を有している。この外面部４４３と結合部４４２とは、結合部４４２側から外面部４４
３に取り付けられるねじ４４４により一体化される。
この外面部４４３には、図１において示したような装飾部４４３１が形成されている。
この装飾部４４３１は、本発明の第１表示部に相当し、前述のように時針の役割を担うも
のである。なお、本実施形態では、装飾部４４３１は、宝石等の石が埋め込まれることで
形成されているが、文字及び記号等が印字されることで形成されてもよい。
【００３８】
また、外面部４４３の中央には、平面視略円形状の孔部４４３２が形成されており、当
該孔部４４３２を介して、ベアリング４４１の開口部４４１２が露出する。そして、時表
示体４４をねじ４４６により取付部６２に取り付けた後、孔部４４３２を飾りブッシュ４
４５で閉塞することで、当該ねじ４４６が隠され、時計１の外観が良好となる。
【００３９】
このような外面部４４３と結合部４４２とは、前述のように、ねじ４４４により一体化
されているので、当該ねじ４４４を外すことで、これらを分離することができる。
これによれば、外面部４４３と結合部４４２及びベアリング４４１とを分離して、磁性
部材４４２１の磁力により鉄分を含む塵等が付着しやすい結合部４４２の洗浄、及び、ベ
アリング４４１への注油を容易に行うことができる。また、外面部４４３に装飾等を施し
易くすることができるほか、外面部４４３を交換することで、時計１の汎用性を向上する
ことができる。
【００４０】
以上説明した時表示手段４では、モーター３１の駆動によって回転する分車３２及び筒
かな３３の回転力は、日の裏車４１を介して、歯車４２が設けられた駆動体４３に伝達さ
れる。そして、駆動体４３が回転すると、カバー６を介して駆動体４３と磁気結合する時
表示体４４が、当該駆動体４３と同軸で回転する。これにより、時針の役割を果たす時表
示体４４の装飾部４４３１の位置が移動して、時刻の「時」が指し示される。
【００４１】
なお、時表示手段４では、駆動体４３及び時表示体４４のそれぞれに磁性部材４３３，
４４２１を設けたが、これに限らず、駆動体４３及び時表示体４４のいずれか一方のみに
、磁性部材を設けてもよい。この場合、他方には、磁性部材に代えて、当該一方に設けら
れた磁性部材により引き寄せられる金属等の部材を配置すればよい。
この場合、例えば、駆動体４３にのみ磁性部材が設けられていれば、カバー６から取り
外された時表示体は磁力を発生させないので、当該時表示体に鉄分を含む塵等が付着する
ことを防ぐことができる。一方、時表示体４４にのみ磁性部材が設けられていれば、駆動
体４３と磁気結合していない状態で磁気の漏出を防止することができるほか、磁性部材か
らムーブメント３を遠ざけることができるので、磁気によりムーブメント３が影響を受け
ることを防ぐことができる。
【００４２】
〔分表示手段の構成〕
次に、分表示手段５について説明する。
分表示手段５は、本発明の第２情報表示手段に相当し、第２の情報として、時刻の「分
」を指し示すものである。この分表示手段５は、第２の歯車としての第１中間車５１及び
第２中間車５２と、第１の歯車としての分表示車５３を備えて構成されている。
第１中間車５１及び第２中間車５２は、分車３２及び筒かな３３とほぼ同じ高さ位置で
、日の裏車４１とは平面的に重ならない位置に配置され、地板３４及び裏板３５により回
動自在に挟持されている。このうち、第１中間車５１は、筒かな３３及び第２中間車５２
に噛合し、また、第２中間車５２は、第１中間車５１及び分表示車５３に噛合している。
【００４３】
分表示車５３は、分車３２及び筒かな３３と同じ位置に回転軸を有する内歯車であり、
駆動体４３の外側に配置されている。この分表示車５３は、第２中間車５２と噛合する内
歯を有し、第２中間車５２の回転に応じて、駆動体４３及び時表示体４４と同方向で、か
つ、当該駆動体４３及び時表示体４４の１２倍の速度で回転する。
この分表示車５３におけるカバー６に対向する面、すなわち、当該カバー６を介して、
外部から観察可能な範囲の一箇所には、図１において示したような装飾部５３１が形成さ
れている。この装飾部５３１は、本発明の第２表示部に相当し、分針の役割を果たす。
このような分表示手段５では、分車３２及び筒かな３３の回転力は、第１中間者５１及
び第２中間車５２を介して分表示車５３に伝達される。そして、当該分表示車５３がカバ
ー６に沿って回転することで、装飾部５３１により「分」が示される。
なお、本実施形態では、分表示車５３を内歯車で構成したが、これに限らず、外歯車で
構成することも可能である。
【００４４】
以上説明した本実施形態に係る時計１によれば、以下の効果を奏することができる。
（１）時表示体４４と、筐体２内の駆動体４３とが磁気結合により結合しているので、
これらの結合を容易に着脱することができる。従って、「時」を指し示す時表示体４４の
交換を容易に行うことができる。
【００４５】
（２）駆動体４３と時表示体４４とは、非磁性を有するカバー６により分断されている
。これによれば、時表示体４４が直接駆動体４３に当接している場合に比べ、当該時表示
体４４と駆動体４３との結合を一層容易に解除することができ、ひいては、時表示体４４
の取り外しをより簡易に行うことができる。また、カバー６により、時表示体４４側から
駆動体４３側への塵埃等の侵入を防ぐことができる。従って、時表示体４４の交換を一層
容易に行うことができるほか、時計１の保守性を向上することができる。
【００４６】
（３）駆動体４３及び時表示体４４は、内輪４３１１，４４１１がカバー６に当接した
状態で固定されるベアリング４３１，４４１を備えている。これによれば、それぞれの磁
性部材４３３，４４２１とカバー６との隙間を小さく設定したまま、当該隙間を維持する
ことができる。また、ベアリング４３１，４４１により、駆動体４３及び時表示体４４の
回転時に、これらの回転する領域がカバー６に当接しないので、当該駆動体４３及び時表
示体４４の回転を一層円滑に行うことができる。従って、時計１の薄型化を図ることがで
きるほか、駆動体４３及び時表示体４４の回転を円滑に行うことができる。
【００４７】
（４）時表示体４４は、ねじ４４６によりカバー６に取り付けられることで、駆動体４
３と磁気結合可能な範囲内に保持される。これによれば、瞬間的な負荷が時表示体４４に
加わった場合でも、駆動体４３との磁気結合状態を維持することができる。従って、時計
１の動作信頼性を確保することができる。また、ねじ４４６を取り外すことで、時表示体
４４を簡易に取り外すことができるので、当該時表示体４４の着脱容易性を損なわないよ
うにすることができる。
【００４８】
（５）時表示体４４を除いて、ムーブメント３は、カバー６及び筐体２の内部に収納さ
れる。これによれば、当該筐体２内に塵埃及び水等が侵入して、ムーブメント３の駆動に
悪影響が生じることを防ぐことができる。従って、時計１の動作信頼性を向上することが
できる。また、時表示体４４が、筐体２及びカバー６の外側に位置することにより、当該
時表示体４４の着脱、ひいては、交換を一層容易に行うことができる。
【００４９】
（６）ベアリング４４１及び結合部４４２と、外面部４４３とは、ねじ４４４により着
脱自在に一体化されている。これによれば、当該ねじ４４４を外して、結合部４４２と外
面部４４３とを分離することで、例えば、結合部４４２に砂等の汚れが付着した場合に、
当該結合部４４２を洗浄等することで汚れを簡易に除去することができるほか、外面部４
４３に容易に装飾を施すことができる。また、ねじ４４４は、結合部４４２側から外面部
４４３に取り付けられるので、当該ねじ４４４の取り付けに際して、外面部４４３に傷等
が付きにくくすることができる。更に、外面部４４３のみを交換することも可能であり、
時計１の汎用性を向上することができる。
【００５０】
（７）時計１は、時表示手段４によって指し示される「時」に加えて、分表示手段５に
よって「分」が指し示されるので、時計１の汎用性を高めることができる。
また、分表示手段５では、時表示手段４を駆動させるモーター３１の駆動力により、分
表示車５３が回転し、装飾部５３１により「分」が示されるので、分表示手段５用に駆動
手段を別途設ける必要がない。これによれば、時計１の部品点数の増加を抑えることがで
きるほか、時表示手段４と分表示手段５の駆動を連携させやすくすることができる。
更に、分表示車５３は、時表示手段４の外側に配置されるので、時表示手段４及び分表
示手段５が並列配置される場合に比べ、時計１の大型化を抑えることができる。
【００５１】
（８）駆動体４３と時表示体４４とは、それぞれの回転方向における一箇所で磁気結合
するので、当該時表示体４４を正しい向きに装着しやすくすることができるほか、当該時
表示体４４の平面位置のずれが生じることを防ぐことができる。従って、時表示体４４を
適切に取り付けることができる。
（９）ムーブメント３は、駆動手段として超音波モーター３１を備えているので、磁界
を生じさせるモーターを採用した場合に比べ、駆動体４３及び時表示体４４の磁気結合を
維持しやすくすることができ、時計１の動作信頼性を向上することができる。
【００５２】
〔２．第２実施形態〕
次に、本発明の第２実施形態に係る時計１Ａについて説明する。
本実施形態に係る時計１Ａは、前述の時計１と同様の構成を備えるが、当該時計１では
、駆動体４３及び時表示体４４が１箇所で磁気結合するのに対し、時計１Ａでは、複数個
所で磁気結合する点において、時計１Ａと時計１とは相違する。なお、以下の説明では、
既に説明した部分と同一または略同一である部分については、同一の符号を付して説明を
省略する。
【００５３】
図３は、本実施形態に係る時計１Ａの内部構成を示す縦断面図である。
時計１Ａは、本発明の表示装置に相当し、駆動体４３及び時表示体４４に代えて、駆動
体４３Ａ及び時表示体４４Ａを備えるほかは、時計１と同様の構成を備えている。
駆動体４３Ａは、本発明の第１の磁気伝達部材に相当し、ベアリング４３１、磁性板４
３５、磁性部材４３３及び磁石案内板４３４を備え、全体略円盤状を有している。また、
駆動体４３Ａは、駆動体４３と同様に、分車３２及び筒かな３３と同じ位置に回転軸が設
定されている。
【００５４】
磁性板４３５は、本発明の延出部に相当し、ベアリング４３１の外輪４３１２に、当該
ベアリング４３１の直径方向に延出するように一体化されている。この磁性板４３５は、
高透磁率を有する平板状部材である。この磁性板４３５におけるカバー６及び時表示体４
４Ａに対向する面には、磁性板４３５の中央を中心として点対称に、一対の磁性部材４３
３が設けられ、また、当該磁性部材４３３が設けられていない領域には、磁石案内板４３
４が配置されている。
ここで、一対の磁性部材４３３は、カバー６及び時表示体４４Ａに対向する面の磁極が
、それぞれ異なっている。すなわち、一対の磁性部材４３３のうちの一方はＮ極に設定さ
れ、他方はＳ極に設定されている。
【００５５】
時表示体４４Ａは、本発明の第２の磁気伝達部材に相当し、時表示体４４と同様に、駆
動体４３Ａと磁気結合し、当該駆動体４３Ａと同軸で回転することで、外面部４４３の装
飾部４４３１により「時」を指し示すものである。この時表示体４４Ａは、結合部４４２
に代えて、結合部４４７を備えるほかは、時表示体４４と同様の構成を備えている。
結合部４４７は、本発明の延出部及び結合部に相当し、駆動体４３Ａと磁気結合する部
位である。この結合部４４７は、保持板４４７１、磁性板４４７２及び磁性部材４４７３
を備えている。
【００５６】
保持板４４７１は、ベアリング４４１の外輪４４１３に、当該ベアリング４４１の直径
方向に延出するように一体化された平板状部材である。この保持板４４７１における駆動
体４３Ａに対向する面には、磁性板４３５と同じ素材により形成された平板状の磁性板４
４７２が設けられている。更に、当該磁性板４４７２において駆動体４３Ａに対向する面
には、一対の磁性部材４３３に対応する位置に、一対の磁性部材４４７３が設けられてい
る。この一対の磁性部材４４７３における駆動体４３Ａに対向する面の磁極は、対応する
磁性部材４３３と引き合う磁極に設定されている。
【００５７】
以上説明した本実施形態に係る時計１Ａによれば、前述の時計１と同様の効果を奏する
ことができるほか、以下の効果を奏することができる。
（１０）一対の磁性部材４３３，４４７３が互いに対向する側とは反対側に、当該一対
の磁性部材４３３，４４７３にそれぞれ接続される磁性板４３５，４４７２が設けられて
いることにより、これら磁性部材４３３，４４７３により生じる磁路が閉じる経路を形成
することができる。これによれば、当該駆動体４３Ａ及び時表示体４４Ａの結合力を強め
ることができる。また、一対の磁性部材４３３における対応する磁性部材４４７３に対向
する面の磁極は、それぞれ異なるように設定され、また、一対の磁性部材４４７３も同様
に設定されているので、駆動体４３Ａ及び時表示体４４Ａに平面位置のずれが生じること
を確実に防ぐことができる。従って、時計１Ａの信頼性を向上することができる。
更に、一対の磁性部材４３３，４４７３は、それぞれ、駆動体４３Ａ及び時表示体４４
Ａの中央を中心とする点対称の位置に配設されているので、これらが磁気結合する際に、
駆動体４３Ａ及び時表示体４４Ａが傾斜しないようにすることができる。従って、これら
の高さ位置を適切に保つことができる。
【００５８】
〔３．第３実施形態〕
次に、本発明の第３実施形態に係る時計１Ｂについて説明する。
本実施形態に係る時計１Ｂは、前述の時計１Ａと同様の構成を備えるが、当該時計１Ａ
では、駆動体４３Ａは、内輪４３１１がカバー６に固定されるベアリング４３１を備えて
いたのに対し、時計１Ｂでは、カバー６に当接し、かつ、当該カバー６沿って摺動する低
摩擦部を有している点で、時計１Ｂと時計１Ａとは相違する。
【００５９】
図４は、本実施形態に係る時計１Ｂの構成を示す縦断面図である。
時計１Ｂは、本発明の表示装置に相当し、駆動体４３Ａに代えて、駆動体４３Ｂを備え
るほかは、前述の時計１Ａと同様の構成を備えている。
駆動体４３Ｂは、本発明の第１の磁気伝達部材に相当し、図４に示すように、中央に位
置する環状体４３１Ｂと、環状体４３１Ｂの外縁に一体化され、かつ、当該環状体４３１
Ｂの直径方向に沿って延出する磁性板４３５とを備え、全体略円盤状を有している。この
うち、磁性板４３５には、前述のように、一対の磁性部材４３３及び磁石案内板４３４が
設けられている。
【００６０】
環状体４３１Ｂの中央には、平面視略円形状の開口部４３１Ｂ１が形成され、当該開口
部４３１Ｂ１には、裏板３５に固定された間隔保持部材３６が嵌合される。これにより、
駆動体４３Ｂは、回動自在に支持される。
この開口部４３１Ｂ１の周縁には、カバー６に近接する方向に突出し、当該カバー６の
取付部６２に当接する低摩擦部４３１Ｂ２が形成されている。この低摩擦部４３１Ｂ２は
、当該取付部６２に当接する面積、すなわち、断面積が環状体４３１Ｂ全体より小さく設
定されているほか、低摩擦を実現する表面処理が施されている。このため、駆動体４３Ｂ
が回転する際に、当該取付部６２に沿って摺動する環状体４３１Ｂの抵抗が低減される。
【００６１】
以上説明した本実施形態に係る時計１Ｂによれば、前述の時計１Ａと同様の効果を奏す
ることができるほか、以下の効果を奏することができる。
（１１）環状体４３１Ｂとカバー６とが当接するため、駆動体４３Ｂとカバー６との隙
間がなくなり、時計１Ｂの厚さ寸法を小さくすることができる。また、カバー６に当接す
る低摩擦部４３１Ｂ２には、低摩擦化を実現する表面処理が施されているので、駆動体４
３Ｂの回動時の負荷を小さくすることができる。更に、環状体４３１Ｂの中央には、裏板
３５に固定される間隔保持部材３６が嵌合されるので、駆動体４３Ｂを安定して回転させ
ることができる。従って、時計１Ｂの薄型化を図ることができるほか、駆動体４３Ｂの回
動を円滑に行うことができる。
【００６２】
次に、時計１Ｂの変形である時計１Ｃ，１Ｄについて説明する。
図５及び図６は、それぞれ、時計１Ｃ，１Ｄの構成を示す縦断面図である。
時計１Ｃは、駆動体４３Ｂに代えて駆動体４３Ｃを備えるほかは、時計１Ｂと同様の構
成を備えている。
駆動体４３Ｃは、図５に示すように、中央に位置する環状体４３１Ｃと、環状体４３１
Ｃの外縁に一体化され、当該環状体４３１Ｃの直径方向に沿って延出する磁性板４３５と
を備え、全体略円盤状を有している。
【００６３】
環状体４３１Ｃは、環状体４３１Ｂと同様に、間隔保持部材３６が嵌め込まれる開口部
４３１Ｃ１を中央に有するほか、当該開口部４３１Ｃ１の周縁に、カバー６に向かう方向
に突出し、当該カバー６の取付部６２に当接する低摩擦部４３１Ｃ２を有している。
この低摩擦部４３１Ｃ２のカバー６に対向する面には、摩擦係数の小さいシール材が貼
付されており、駆動体４３Ｃの回転時に、取付部６２に沿って摺動する環状体４３１Ｃの
抵抗が低減されている。
このような時計１Ｃによれば、前述の時計１Ｂと同様の効果を奏することができる。
【００６４】
また、時計１Ｄは、駆動体４３Ｂに代えて駆動体４３Ｄを備えるほかは、時計１Ｂと同
様の構成を備えている。
駆動体４３Ｄは、図６に示すように、中央に位置する環状体４３１Ｄと、環状体４３１
Ｄの外縁に固定され、当該環状体４３１Ｄの直径方向に沿って延出する磁性板４３５とを
備えている。
【００６５】
環状体４３１Ｄの中央には、間隔保持部材３６が嵌め込まれる開口部４３１Ｄ１が形成
され、当該間隔保持部材３６を中心として、駆動体４３Ｄは回転自在に支持される。また
、環状体４３１Ｄにおけるカバー６に対向する面には、断面視略Ｖ字状の溝部４３１Ｄ２
が形成され、当該溝部４３１Ｄ２には、球状体４３１Ｄ３が配置されている。
このような駆動体４３Ｄが回転すると、球状体４３１Ｄ３が、カバー６の取付部６２に
沿って摺動しつつ回転するので、駆動体４３Ｄとカバー６とが当接することによって生じ
る駆動体４３Ｄの回転に対する抵抗が低減される。このような溝部６３１Ｄ２及び球状体
４３１Ｄ３は、本発明の低摩擦部に相当する。
以上のような時計１Ｄによれば、前述の時計１Ｂと同様の効果を奏することができる。
【００６６】
〔４．第４実施形態〕
次に、本発明の第４実施形態に係る時計１Ｅについて説明する。
本実施形態に係る時計１Ｅは、前述の時計１Ａと同様の構成を備えるが、当該時計１Ａ
では、時表示体４４Ａは、カバー６の取付部６２に回転自在に取り付けられていたのに対
し、時計１Ｅは、駆動体と磁気結合した時表示体をカバー上に保持する保持枠を備える点
で、時計１Ｅと時計１Ａとは相違する。
【００６７】
図７は、本実施形態に係る時計１Ｅを示す平面図である。
時計１Ｅは、図７に示すように、磁気結合する駆動体４３Ａ（図７では図示省略）とと
もに回転する時表示体４４Ｅの装飾部４４９１により「時」を指し示すとともに、分表示
車５３に形成された装飾部５３１により「分」を指し示す表示装置である。この時計１Ｅ
は、筐体２、時表示手段４及びカバー６に代えて、筐体２Ｅ、時表示手段４Ｅ及びカバー
６Ｅを備えるほかは、時計１Ａと同様の構成を備えている。
【００６８】
図８は、図７におけるVIII−VIII線断面図であり、図９は、図７におけるIX−IX線断面
図である。
このうち、カバー６Ｅは、図８及び図９に示すように、後述する上ケース２２Ｅの開口
部２２Ｅ１を閉塞し、ムーブメント３を被覆する被覆部材である。このカバー６Ｅは、カ
バー６とは異なり、ガラス製の平板状部材として形成されている。すなわち、カバー６は
、全体が本発明の透過部であり、当該カバー６に取付部６２は形成されていない。
【００６９】
時表示手段４Ｅは、筒かな３３に噛合する日の裏車４１と、当該日の裏車４１に噛合す
る歯車４２と、当該歯車４２が固定された駆動体４３Ａと、当該駆動体４３Ａにカバー６
Ｅを介して磁気結合する時表示体４４Ｅとを備え、当該時表示体４４Ｅは、後述する保持
枠２５によりカバー６Ｅ上に保持される。
この時表示体４４Ｅは、本発明の第２の磁気伝達部材に相当し、中央に位置するベアリ
ング４４１と、結合部４４８と、外面部４４９を備え、平面視略円形状に形成されている
。このうち、ベアリング４４１の内輪４４１１は、カバー６Ｅに固定されておらず、当該
内輪４４１１には、ねじ４４６を挿通するための開口部も形成されていない。
【００７０】
結合部４４８は、本発明の延出部及び結合部に相当し、前述のように、ベアリング４４
１の外輪４４１３に、当該ベアリング４４１の直径方向に延出するように一体化されてい
る。この結合部４４８は、磁性板４４８１、磁性部材４４８２及び磁石案内板４４８３を
備えている。
磁性板４４８１は、前述の磁性板４３５と同様に、高透磁率を有する平板状部材として
構成されている。この磁性板４４８１におけるカバー６Ｅ及び駆動体４３Ａに対向する面
には、一対の磁性部材４３３に対応して一対の磁性部材４４８２が配設され、また、当該
一対の磁性部材４４８２が設けられていない領域には、磁石案内板４４８３が配設されて
いる。
【００７１】
このうち、一対の磁性部材４４８２において、対応する磁性部材４３３に対向する面の
磁極は、当該磁性部材４３３と引き合うように設定さる。このため、当該一対の磁性部材
４４８２の磁極はそれぞれ異なり、一方がＮ極である場合には、他方はＳ極となる。
また、磁石案内板４４８３の一部は、磁性板４４８１から外側に突出しており、当該突
出した磁石案内板４４８３の領域が、後述する保持枠２５により押さえられる領域となる
。
【００７２】
このような結合部４４８を有する時表示体４４Ｅ及び駆動体４３Ａの磁気結合時には、
各磁性部材４４８２及び各磁性部材４３３で生じた磁力の磁路は、それぞれ磁性板４４８
１及び磁性板４３５で接続されることとなり、これにより、磁路が閉じる経路が形成され
る。このため、前述の時表示体４４Ａ及び駆動体４３Ａと同様に、時表示体４４Ｅと駆動
体４３Ａとの結合力を強めることができる。また、各磁性部材４４８２の磁極が、それぞ
れ異なるように設定されているため、時表示体４４Ｅと駆動体４３Ａとの間に、平面位置
のずれが生じることを防ぐことができる。
【００７３】
外面部４４９は、ベアリング４４１及び結合部４４８におけるカバー６Ｅ側とは反対側
を覆うように形成されている。この外面部４４９は、外面部４４３とは異なり、平板状に
形成されている。
外面部４４９は、ベアリング４４１及び結合部４４８に、図示しないねじにより一体化
されており、当該ねじを取り外すことで、それぞれ分離可能に構成されている。この外面
部４４９には、カバー６Ｅ側とは反対側の面に、前述の装飾部４４３１と同様の装飾部４
４９１が形成されている。この装飾部４４９１は、本発明の第１表示部に相当し、当該装
飾部４４９１により「時」が示される。
また、外面部４４９は断面視略Ｔ字状を有し、外側に向かって延出した延出部４４９２
を有している。この延出部４４９２と、外側に突出した磁石案内板４４８３とにより、時
表示体４４Ｅの側方には凹部４５０が形成されている。この凹部４５０には、後述する保
持枠２５の一部が挿入される。
【００７４】
筐体２Ｅは、ムーブメント３を内部に収納するための開口部２１Ｅ１を有し、かつ、縦
断面視略Ｕ字状に形成された下ケース２１Ｅと、当該下ケース２１Ｅに上方から取り付け
られる上ケース２２Ｅと、下ケース２１Ｅ内に収納されたムーブメント３の揺動を規制す
る中枠２３Ｅと、当該上ケース２２Ｅに取り付けられる保持枠２５とを備えている。
【００７５】
このうち、下ケース２１Ｅには、開口部２１Ｅ１のほか、ムーブメント３に係合する巻
真２４が挿通する開口部２１Ｅ２が形成されている。また、下ケース２１Ｅには、図７及
び図８に示すように、上ケース２２Ｅを貫通し、当該上ケース２２Ｅと下ケース２１Ｅと
を上方から固定するねじ７１が螺合するねじ孔２１Ｅ３が複数形成されている。また、下
ケース２１Ｅには、図７及び図９に示すように、保持枠２５を上ケース２２Ｅに固定する
ねじ７２が下方から挿通する貫通孔２１Ｅ４が複数形成されている。これらねじ孔２１Ｅ
３及び貫通孔２１Ｅ４は、それぞれムーブメント３の外側となる位置に形成されている。
【００７６】
上ケース２２Ｅは、下ケース２１Ｅの上方に取り付けられる環状部材であり、中央に、
開口部２１Ｅ１と接続され、かつ、カバー６Ｅにより閉塞される開口部２２Ｅ１が形成さ
れている。また、この上ケース２２Ｅには、図７及び図８に示すように、当該上ケース２
２Ｅを貫通する孔部２２Ｅ２が複数形成されている。これら孔部２２Ｅ２には、前述のね
じ７１が挿通し、当該ねじ７１の頭部は、孔部２２Ｅ２内に収納される。また、図７及び
図９に示すように、上ケース２２Ｅには、前述のねじ７２が貫通する貫通孔２２Ｅ３が複
数形成されている。
【００７７】
保持枠２５は、上ケース２２Ｅの上方に固定される環状部材であり、時表示体４４Ｅを
カバー６Ｅ上に保持する。この保持枠２５は、図７〜図９に示すように、上ケース２２Ｅ
に応じて形成された環状を有する外縁部２５１（図７〜図９）と、当該外縁部２５１の内
側に形成された環状部２５２（図８及び図９）と、当該外縁部２５１及び環状部２５２を
接続する複数の架橋部２５３（図７）と、これら外縁部２５１、環状部２５２及び架橋部
２５３により端縁が形成される開口部２５４（図８及び図９）と、当該開口部２５４内に
嵌め込まれるガラス又は合成樹脂製の透光体２５５（図７〜図９）とを備えている。
【００７８】
外縁部２５１における上ケース２２Ｅに対向する面には、図９に示すように、前述のね
じ７２が螺合するねじ孔２５１１が、貫通孔２１Ｅ４，２２Ｅ３に応じた位置に形成され
ている。
環状部２５２は、図８及び図９に示すように、中央に平面視略円形状の開口部２５２１
を有し、当該開口部２５２１内に時表示体４４Ｅが配置される。この開口部２５２１の端
縁には、当該環状部２５２の中心に向かって延出する延出部２５２２が形成されており、
当該延出部２５２２は、時表示体４４Ｅに形成された凹部４５０内に配置される。このた
め、時表示体４４Ｅと駆動体４３Ａとの磁気結合が解除され、当該時表示体４４Ｅが浮き
上がろうとした場合には、当該延出部２５２２が時表示体４４Ｅの磁石案内板４４８３に
当接するので、時表示体４４Ｅが時計１Ｅから浮き上がらずに、カバー６Ｅ上に保持され
る。
【００７９】
架橋部２５３、開口部２５４及び透光体２５５の位置は、図８及び図９に示すように、
分表示車５３が回転した際の装飾部５３１の軌跡に応じた位置に設定されている。すなわ
ち、架橋部２５３、開口部２５４及び透光体２５５が位置する領域と、装飾部５３１の回
転の軌跡とは略一致する。このため、装飾部５３１の位置は、開口部２５４及び透光体２
５５と、カバー６Ｅとを介して観察される。なお、各開口部２５４内に嵌め込まれる透光
体２５５は合成樹脂に限らず、ガラス等の他の材質により形成されていてもよい。更には
、透光体２５５が設けられていない構成としてもよい。
また、架橋部２５３は、図７に示すように、０時、３時、６時及び９時に対応する位置
に、それぞれ一対ずつ形成されている。これら架橋部２５３の形成方向を延長させた直線
は、時計１Ｅの中央を通らない。これは、当該時計１Ｅの中央を中心として回転する分表
示車５３の装飾部５３１を、架橋部２５３が完全に覆わないようにするためである。
【００８０】
以上説明した本実施形態に係る時計１Ｅによれば、前述の時計１Ａと同様の効果を奏す
ることができるほか、以下の効果を奏することができる。
（１２）時表示体４４Ｅと駆動体４３Ａとの磁気結合が解除され、当該時表示体４４Ｅ
が浮き上がろうとした場合でも、保持枠２５により、時表示体４４Ｅがカバー６Ｅ上に保
持されるので、当該時表示体４４Ｅを紛失しないようにすることができるほか、駆動体４
３Ａと時表示体４４Ｅとの磁気結合を迅速に回復することができる。
【００８１】
また、時計１Ｅの外観を構成する保持枠２５を、ねじ７２により、下ケース２１Ｅの裏
面側から当該下ケース２１Ｅ及び上ケース２２Ｅに固定するので、保持枠２５の取り付け
に際して、当該保持枠２５が傷付くことを防ぐことができる。従って、時計１Ｅの外観を
良好に保つことができる。
更に、ねじ７２は、ムーブメント３の外側に位置するので、当該ムーブメント３の配置
位置に重なるようにねじ７２が配置される場合に比べ、時計１Ｅの厚さ寸法を小さくする
ことができる。
【００８２】
〔５．実施形態の変形〕
本発明は前述の実施形態に限定されるものではなく、本発明の目的を達成できる範囲で
の変形、改良等は本発明に含まれるものである。
前記各実施形態では、第１の磁気伝達部材としての駆動体４３、４３Ａ〜４３Ｄと、第
２の磁気伝達部材としての時表示体４４，４４Ａ，４４Ｅとは、これらの回転方向におけ
る１箇所又は２箇所で磁気結合するとしたが、本発明はこれに限らない。すなわち、磁気
結合する位置及び当該位置の数は、適宜設定してよい。
【００８３】
図１０は、駆動体及び時表示体に用いられる磁性部材の変形を示す図である。
例えば、図１０に示すように、ベアリング４３１，４４１の外縁、或いは、環状体４３
１Ｂ〜４３１Ｄの外縁に固定される磁性部材として、図１０に示す磁性部材４３０を採用
してもよい。この磁性部材４３０は、中央にベアリング４３１，４４１又は前述の環状体
４３１Ｂ〜４３１Ｄが配置される開口部４３０１を有している。
【００８４】
この磁性部材４３０は、中央を通る直線により２分割され、それぞれで磁極が異なるよ
うに設定されている。具体的に、磁性部材４３０の一方はＳ極に設定され、他方はＮ極に
設定されている。このような磁性部材４３０を、駆動体及び時表示体に用いることにより
、一方の磁性部材４３０のＳ極部分と、他方の磁性部材４３０のＮ極とが引き合うため、
これら駆動体及び時表示体の平面位置を適切に維持することができるほか、位置ずれが生
じた場合でも、当該位置ずれが生じる前の状態に適切に復帰することができる。
【００８５】
前記各実施形態では、駆動体４３，４３Ａ，４３Ｅのベアリング４３１では、内輪４３
１１が固定され、磁性部材４３３，４４２１を有し、かつ、当該ベアリング４３１の直径
方向に延出する延出部４３２及び磁性板４３５が設けられた外輪４３１２が、内輪４３１
１に対して回転する構成としたが、本発明はこれに限らない。すなわち、回転力が伝達さ
れる歯車が固定された内輪が、固定された外輪に対して回転自在に構成されたベアリング
を有する駆動体であってもよい。この場合、内輪の中心に向かって、前述の延出部及び磁
性板が、当該内輪に設けられていればよい。なお、ベアリングを有する時表示体について
も、同様である。つまり、駆動体及び時表示体が備えるベアリングの内輪及び外輪のうち
、一方が固定され、当該一方に対して他方が回転自在に構成され、磁性部材を有し、かつ
、ベアリングの直径方向に沿って延出する延出部が、当該他方に設けられていればよい。
【００８６】
前記各実施形態では、駆動体４３、４３Ａ〜４３Ｄは、被覆部材としてのカバー６，６
Ｅにより覆われ、時表示体４４，４４Ａ，４４Ｅは、カバー６，６Ｅの外側に配置される
としたが、本発明はこれに限らない。例えば、カバー６，６Ｅは無くてもよい。また、時
表示体を覆うように風防ガラス等の部材が設けられていてもよい。
【００８７】
前記各実施形態では、時表示手段４，４Ｅは「時」を指し示し、分表示手段５は「分」
を指し示すとしたが、本発明はこれに限らない。すなわち、時表示手段４，４Ｅ及び分表
示手段５は、それぞれ「時」及び「分」を指し示すものに限らず、「時」、「分」、「秒
」、「日付」、「曜日」等のいずれかを指し示すものとして構成してもよい。
【００８８】
前記各実施形態では、本発明の表示装置を時計１Ａ〜１Ｅとして構成したが、本発明は
これに限らず、例えば、音量等を調節するダイヤルや、方位を示す表示装置に適用しても
よい。なお、本発明は、腕時計に限らず、懐中時計等の他の携帯時計、置き時計及び柱時
計等の他のタイプの時計にも適用することが可能である。
また、駆動手段としてのモーターも、超音波モーターに限らず、他のモーターを採用し
てもよい。更に、時計の種類は、モーターを用いたアナログクォーツ時計に限らず、駆動
源としてゼンマイを用いた機械式時計でもよい。
【図面の簡単な説明】
【００８９】
【図１】本発明の第１実施形態に係る時計を示す平面図。
【図２】前記実施形態における時計を示す縦断面図。
【図３】本発明の第２実施形態に係る時計を示す縦断面図。
【図４】本発明の第３実施形態に係る時計を示す縦断面図。
【図５】前記実施形態の変形である時計を示す縦断面図。
【図６】前記実施形態の変形である時計を示す縦断面図。
【図７】本発明の第４実施形態に係る時計を示す平面図。
【図８】前記実施形態における時計を示す縦断面図。
【図９】前記実施形態における時計を示す縦断面図。
【図１０】前記実施形態における駆動体及び時表示体の磁性部材の変形を示す図。
【符号の説明】
【００９０】
１，１Ａ〜１Ｅ…時計（表示装置）、２，２Ｅ…筐体、４，４Ｅ…時表示手段（第１の
情報表示手段）、５…分表示手段（第２の情報表示手段）、６…カバー（被覆部材）、６
Ｅ…カバー（被覆部材，透過部）、３１…超音波モーター（駆動手段）、４３，４３Ａ〜
４３Ｄ…駆動体（第１の磁気伝達部材）、４４，４４Ａ，４４Ｅ…時表示体（第２の磁気
伝達部材）、５１…第１中間車（第２の歯車）、５２…第２中間車（第２の歯車）、５３
…分表示車（第１の歯車）、６１…透過部、２２１，２２Ｅ１…開口部、４３１，４４１
…ベアリング、４３２…延出部、４３３…磁性部材、４３５…磁性板（延出部）、４４２
，４４７，４４８…結合部（延出部）、４４３，４４９…外面部、４４６…ねじ（保持部
材）、５３１…装飾部（第２表示部）、４４２１，４４７３，４４８２…磁性部材、４４
３１，４４９１…装飾部（第１表示部）、４３１Ｂ２，４３１Ｃ２…低摩擦部、４３１Ｄ
２…溝部（低摩擦部）、４３１Ｄ３…球状体（低摩擦部）。
【図１】
2010164392.tif 000003
【図２】
2010164392.tif 000004
【図３】
2010164392.tif 000005
【図４】
2010164392.tif 000006
【図５】
2010164392.tif 000007
【図６】
2010164392.tif 000008
【図７】
2010164392.tif 000009
【図８】
2010164392.tif 000010
【図９】
2010164392.tif 000011
【図１０】
2010164392.tif 000012